(57)【要約】【課題】組立作業性および固定強度を向上させることができるとともに良好な外観を有した伸縮門扉を提供すること。【解決手段】縦桟６における外部突出片部６３の第１切欠き部６５に固定連結部品７の前方突出部７５１を位置決めさせた状態で、固定連結部品７を縦桟６の開口部６２内部側に向かって押し込むだけで、固定連結部品７が縦桟６の所定位置に取り付けられるので、ワンアクションで固定連結部品７を縦桟６に嵌合させることができ、取付作業の作業性を向上させることができる。さらに、固定連結部品７を嵌合させた状態で、縦桟６における外部突出片部６３の第１切欠き部６５が連結部品本体部７１で覆われ、外側から見えないようにできるので、伸縮門扉の外観意匠性を向上させることができる。【選択図】図３
2010126887.tif 000002
【特許請求の範囲】
【請求項１】
見付け方向に伸縮自在な伸縮格子体と、この伸縮格子体の見込み方向両側に対向して当該伸縮格子体に連結される少なくとも一対の縦桟とを備えた伸縮門扉であって、
前記一対の縦桟は、互いに対向する方向に開口する開口部と、この開口部に臨んで当該縦桟の見付け方向内側に突出する左右一対の突出片部とを有して形成され、これらの突出片部に嵌合される連結部品を介して前記伸縮格子体と連結され、
前記縦桟の突出片部には、前記連結部品を嵌合させない状態で当該縦桟の長手方向に沿った所定位置に当該連結部品を位置決めする位置決め部と、前記連結部品を嵌合させた状態で当該縦桟の長手方向に沿った当該連結部品の移動を規制する規制部とが設けられ、
前記連結部品は、前記一対の突出片部に嵌合する一対の嵌合部と、これら一対の嵌合部よりも前記縦桟の開口部の内部側に設けられる一対の傾斜面部と、前記縦桟の位置決め部に挿通される被位置決め部と、前記縦桟の規制部に規制される被規制部とを有して構成され、
前記被位置決め部を前記位置決め部に位置決めさせた状態で前記連結部品を前記縦桟の開口部の内部に向かって押し込むことで、前記傾斜面部で当該開口部を押し拡げつつ当該連結部品が当該縦桟に嵌入されて前記嵌合部が前記突出片部に嵌合され、この嵌合状態において、前記被規制部が前記規制部に規制されることで前記連結部品が前記縦桟に移動不能に取り付けられる伸縮門扉。
【請求項２】
前記縦桟における左右一対の突出片部は、それぞれ当該縦桟における前記開口部の内部側および外部側に設けられる内部突出片部および外部突出片部で構成され、これらの内部突出片部および外部突出片部にそれぞれ前記規制部を構成する内側規制部および外側規制部が設けられ、
前記連結部品には、前記内側規制部および外側規制部に対応して前記被規制部を構成する内側被規制部および外側被規制部が設けられている請求項１に記載の伸縮門扉。
【請求項３】
前記縦桟において、前記外側規制部は、前記一対の外部突出片部の互いに対向する位置に一対で設けられ、これら一対の外側規制部に対し、当該縦桟の長手方向の一方および他方の対称位置に一対ずつの前記内側規制部が前記内部突出片部に設けられている請求項２に記載の伸縮門扉。
【請求項４】
前記縦桟において、前記位置決め部は、前記一対の外部突出片部の互いに対向する位置に一対で設けられる切欠きで構成され、これら一対の切欠きによって前記外側規制部が構成されている請求項２または請求項３のいずれかに記載の伸縮門扉。
【請求項５】
前記連結部品における一対の傾斜面部は、前記縦桟における前記一対の外部突出片部に当接して当該縦桟の開口部を押し拡げ可能に構成されている請求項２から請求項４のいずれかに記載の伸縮門扉。
【請求項６】
前記連結部品における一対の嵌合部は、前記縦桟における前記一対の外部突出片部に嵌合可能に構成されている請求項２から請求項５のいずれかに記載の伸縮門扉。
【発明の詳細な説明】
【技術分野】
【０００１】
本発明は、見付け方向に伸縮自在な伸縮格子体と、この伸縮格子体に連結される一対の縦桟とを備えた伸縮門扉に関する。
【背景技術】
【０００２】
従来、見付け方向に伸縮自在な伸縮格子体と、この伸縮格子体の見込み方向両側に対向して伸縮格子体に連結される一対の縦桟と、これら一対の縦桟の下端部同士を連結して見込み方向に延びる下材（取付部材）と、この下材に取り付けられた車輪とを備えた伸縮門扉が知られている（例えば、特許文献１参照）。
特許文献１に記載された伸縮門扉では、伸縮格子体が縦桟に対して固定子および摺動子を介して連結され、固定子の位置で回転可能かつ上下移動不能に支持されるとともに、縦桟に沿って摺動子が上下スライドすることで、伸縮格子体が見付け方向に伸縮可能に構成されている。また、縦桟は、断面略Ｃ字形の開口近傍に左右の固定用内向片を有して形成され、これらの固定用内向片には、固定子に係合する切欠き部と、この切欠き部に隣り合う補助切欠き部とが形成されている。そして、縦桟を押し拡げつつ補助切欠き部に固定子の係合片を挿通させてから、縦桟の長手方向に固定子を移動させて再度縦桟を押し拡げつつ固定用内向片の切欠き部に係合片を係合させることで、固定子が縦桟に取り付けられるようになっている。
【０００３】
【特許文献１】特許第３９７８７４２号公報
【発明の開示】
【発明が解決しようとする課題】
【０００４】
しかしながら、従来の伸縮門扉では、縦桟に固定子を取り付ける際に、先ず補助切欠き部に固定子の係合片を挿通し、次に切欠き部に向かって固定子を移動させる必要があり、取付作業に手間と時間がかかってしまうという不都合がある。また、切欠き部に向かって固定子を縦桟の長手方向に沿って移動させる際に、縦桟により固定子が削られるため、固定状態を安定して維持できない可能性もある。さらに、切欠き部に係合片を係合させて固定子を移動不能に取り付けた状態において、固定子から外れた位置に補助切欠き部が位置することから、組立後の伸縮門扉において補助切欠き部が露出することとなり、外観意匠性の点でも不都合がある。
【０００５】
本発明の目的は、組立作業性および固定強度を向上させることができるとともに良好な外観を有した伸縮門扉を提供することにある。
【課題を解決するための手段】
【０００６】
本発明の伸縮門扉は、見付け方向に伸縮自在な伸縮格子体と、この伸縮格子体の見込み方向両側に対向して当該伸縮格子体に連結される少なくとも一対の縦桟とを備えた伸縮門扉であって、前記一対の縦桟は、互いに対向する方向に開口する開口部と、この開口部に臨んで当該縦桟の見付け方向内側に突出する左右一対の突出片部とを有して形成され、これらの突出片部に嵌合される連結部品を介して前記伸縮格子体と連結され、前記縦桟の突出片部には、前記連結部品を嵌合させない状態で当該縦桟の長手方向に沿った所定位置に当該連結部品を位置決めする位置決め部と、前記連結部品を嵌合させた状態で当該縦桟の長手方向に沿った当該連結部品の移動を規制する規制部とが設けられ、前記連結部品は、前記一対の突出片部に嵌合する一対の嵌合部と、これら一対の嵌合部よりも前記縦桟の開口部の内部側に設けられる一対の傾斜面部と、前記縦桟の位置決め部に挿通される被位置決め部と、前記縦桟の規制部に規制される被規制部とを有して構成され、前記被位置決め部を前記位置決め部に位置決めさせた状態で前記連結部品を前記縦桟の開口部の内部に向かって押し込むことで、前記傾斜面部で当該開口部を押し拡げつつ当該連結部品が当該縦桟に嵌入されて前記嵌合部が前記突出片部に嵌合され、この嵌合状態において、前記被規制部が前記規制部に規制されることで前記連結部品が前記縦桟に移動不能に取り付けられることを特徴とする。
【０００７】
以上の本発明によれば、縦桟の位置決め部に被位置決め部を位置決めさせた状態で連結部品を縦桟の開口部の内部に向かって押し込むだけで、縦桟の規制部に連結部品の被規制部が規制されるので、一度の押し込み作業で連結部品を縦桟に取り付けることができる。従って、連結部品の取付作業における手間を低減し作業時間を短縮することができ、伸縮門扉の組立作業性を向上させることができる。さらに、連結部品を縦桟の開口部の内部に向かって押し込むだけでよいため、縦桟の位置決め部から長手方向に外れた位置に余計な切欠き等を設ける必要がなく、このような切欠きが組立後に露出することもないため、伸縮門扉の外観意匠性を向上させることができる。また、従来のように、固定子を縦桟の長手方向に沿って移動させる必要がないため、縦桟による連結部品（固定子）の削れの発生を抑制することができる。
【発明を実施するための最良の形態】
【０００８】
以下、本発明の実施形態を図面に基づいて説明する。
図１は、本発明の実施形態に係る伸縮門扉１を一部断面して示す正面図である。
伸縮門扉１は、屋外に設けられるカーポートなどの前面に用いられるものであって、地面から立設された２本の支柱２と、これらの支柱２のうち一方（図１の右側）の支柱２に沿って固定される固定縦枠３と、他方（図１の左側）の支柱２に対して係脱自在に設けられる可動縦枠４と、これらの固定縦枠３と可動縦枠４との間にて見付け方向（図１の左右方向）に伸縮自在な伸縮格子体５と、伸縮格子体５の見込み方向両側に対向して一対で設けられて当該伸縮格子体５に連結される複数組の縦桟６とを備えて構成されている。
【０００９】
可動縦枠４の下端部には、地面上を転動するキャスター４Ａが取り付けられるとともに、可動縦枠４の中間位置には、一方の支柱２に対して係脱操作可能な操作ハンドル４Ｂが設けられている。また、複数組の縦桟６のうち、見付け方向略中央に設けられる一組の縦桟６Ａの下側には、図示しない下材を介してキャスター６Ｂが取り付けられており、伸縮格子体５の中間部の重量を支持するとともに、キャスター６Ｂが地面上を転動することで伸縮格子体５の開閉移動に追従できるように構成されている。そして、操作ハンドル４Ｂを操作して支柱２との係合を解除してから、可動縦枠４を図１の右側に向かって移動させることで、伸縮格子体５が縮んで伸縮門扉１が開放され、可動縦枠４を図１の左側に向かって移動させることで、伸縮格子体５が伸びて伸縮門扉１が閉鎖されるようになっている。
【００１０】
伸縮格子体５は、見付け方向一方から他方（図１の右側から左側）に向かって下がる傾斜を有した第１斜材５Ａと、逆向きの傾斜を有した第２斜材５Ｂとが見込み方向に所定間隔離れて設けられるとともに、これらの第１斜材５Ａと第２斜材５Ｂとを連結する軸材５Ｃ（図２参照）とを備えて構成されている。このような伸縮格子体５の第１および第２の斜材５Ａ，５Ｂは、連結部品としての固定連結部品７および複数の摺動連結部品８を介して縦桟６に対して回動自在に連結されている。そして、固定連結部品７が縦桟６に対して上下移動不能に支持され、複数の摺動連結部品８が縦桟６に沿って上下スライド可能に連結されることで、伸縮格子体５が見付け方向に伸縮できるように構成されている。ここで、図２は、伸縮門扉１の要部を拡大して示す分解斜視図である。
【００１１】
次に、図３および図４も参照して固定連結部品７と縦桟６との連結構造について詳しく説明する。
縦桟６は、アルミ形材製で長尺状かつ断面略Ｃ字形に形成される縦桟本体６１を有し、この縦桟本体６１の略Ｃ字形の開口部６２を伸縮格子体５側に向けて設けられ、開口部６２に固定連結部品７および摺動連結部品８を保持することで伸縮格子体５と連結されている。そして、縦桟６には、縦桟本体６１の端縁から開口部６２に臨んで当該縦桟６の見付け方向内側に突出する左右一対の外部突出片部６３と、これらの外部突出片部６３よりも開口部６２の内部側にて見付け方向内側に突出する左右一対の内部突出片部６４とが形成されている。内部突出片部６４は、外部突出片部６３よりも突出寸法が長く形成され、つまり一対の内部突出片部６４の先端間の距離が、一対の外部突出片部６３の先端間の距離よりも小さく形成されている。そして、縦桟６の長手方向における固定連結部品７の連結位置に対応した位置には、外部突出片部６３を切り欠いた左右一対の第１切欠き部６５と、内部突出片部６４を切り欠いた左右一対かつ上下２箇所の第２切欠き部６６とが設けられている。上下の第２切欠き部６６は、縦桟６の長手方向（上下方向）に関して第１切欠き部６５を挟んだ対称位置に形成されている。
【００１２】
固定連結部品７は、樹脂製の一体成形部材であって、第１または第２の斜材５Ａ，５Ｂ側に位置する角形板状の連結部品本体部７１と、この連結部品本体部７１から縦桟６に向かって突出して軸材５Ｃを挿通保持する円筒状の軸保持部７２と、連結部品本体部７１の上下から縦桟６に向かって突出して軸保持部７２にも連続する上下のフランジ部７３と、これら上下のフランジ部７３に渡り連結部品本体部７１と対向する左右の連結部品壁部７４と、これら左右の連結部品壁部７４の中間部と軸保持部７２とを連結する全体矩形状のブロック部７５とを有して形成されている。
連結部品本体部７１と左右の連結部品壁部７４との間には、縦桟６の外部突出片部６３を挿通可能な隙間が形成され、この隙間に外部突出片部６３を受け入れることで、固定連結部品７が縦桟６の外部突出片部６３に嵌合されるようになっている。すなわち、左右の連結部品壁部７４における連結部品本体部７１との対向面によって、左右一対の嵌合部７４１が構成され、これらの嵌合部７４１が外部突出片部６３に当接することで、固定連結部品７が縦桟６の見込み方向に移動不能に取り付けられるようになっている。
【００１３】
上下のフランジ部７３は、左右の連結部品壁部７４から縦桟６に向かって互いに接近する方向に傾斜した左右一対の傾斜面部７３１と、これら一対の傾斜面部７３１の先端部から縦桟６の内部側に向かって延びる延出面部７３２とを有して、全体略楔状に形成されている。左右一対の傾斜面部７３１は、固定連結部品７が縦桟６に嵌合されない状態で、縦桟６の外部突出片部６３に当接可能に設けられ、固定連結部品７が縦桟６の内部側に押し込まれる際に、傾斜面部７３１が外部突出片部６３に摺接することによって縦桟６を押し拡げるように構成されている。また、左右一対の延出面部７３２は、固定連結部品７が縦桟６に嵌合された状態で、内部突出片部６４の第２切欠き部６６に係合されるようになっている。すなわち、第２切欠き部６６によって内側規制部が構成され、延出面部７３２によって内側被規制部が構成され、第２切欠き部６６が延出面部７３２に係合することで、固定連結部品７が縦桟６の長手方向に移動不能に規制されるようになっている。
【００１４】
左右のブロック部７５は、連結部品壁部７４から縦桟６に向かって延びて傾斜面部７３１よりも見込み方向の内部突出片部６４側に突出した前方突出部７５１と、連結部品壁部７４と連結部品本体部７１とを連結して前記隙間を埋める後方突出部７５２とを有して形成されている。前方突出部７５１は、固定連結部品７が縦桟６に嵌合されない状態で、外部突出片部６３の第１切欠き部６５に挿通されるようになっている。すなわち、第１切欠き部６５によって位置決め部が構成され、前方突出部７５１によって被位置決め部が構成され、第１切欠き部６５が前方突出部７５１に係合することで、嵌合前の固定連結部品７が縦桟６の長手方向に移動不能に位置決めされるようになっている。また、後方突出部７５２は、固定連結部品７が縦桟６に嵌合された状態で、外部突出片部６３の第１切欠き部６５に係合されるようになっている。すなわち、第１切欠き部６５によって外側規制部が構成され、後方突出部７５２によって外側被規制部が構成され、第１切欠き部６５が後方突出部７５２に係合することで、固定連結部品７が縦桟６の長手方向に移動不能に規制されるようになっている。
【００１５】
以上のような固定連結部品７の縦桟６への取り付け手順としては、先ず、図４(Ａ)に示すように、縦桟６の開口部６２側から固定連結部品７をセットし、ブロック部７５の前方突出部７５１を外部突出片部６３の第１切欠き部６５に挿通し、縦桟６の長手方向に沿った所定の取付位置に固定連結部品７を位置決めする。そして、固定連結部品７の傾斜面部７３１を外部突出片部６３に当接させた状態で、図４(Ｂ)に示すように、固定連結部品７を縦桟６の開口部６２内部側に向かって押し込むことで、傾斜面部７３１で開口部６２を押し拡げつつ固定連結部品７を縦桟６に嵌合させる。そして、連結部品壁部７４が外部突出片部６３よりも開口部６２の内部側に位置するまで固定連結部品７を押し込むことで、図４(Ｃ)に示すように、押し拡げられていた縦桟６がその弾性で初期の形状に戻る。これにより、連結部品本体部７１と連結部品壁部７４との隙間に外部突出片部６３が挿入され、この外部突出片部６３に嵌合部７４１が係合され、固定連結部品７が縦桟６から抜け出ないように嵌合される。
【００１６】
このように縦桟６に嵌合された状態において、固定連結部品７におけるブロック部７５の後方突出部７５２が外部突出片部６３の第１切欠き部６５に係合され、フランジ部７３の延出面部７３２が内部突出片部６４の第２切欠き部６６に係合されることで、縦桟６の長手方向に沿った移動が規制された状態で固定連結部品７が取り付けられる。また、縦桟６に嵌合された固定連結部品７において、連結部品本体部７１が外部突出片部６３の外面部に当接し、ブロック部７５の前方突出部７５１が内部突出片部６４に当接することで、縦桟６の開口部６２内部側に向かう方向に関しても固定連結部品７の移動が規制されるようになっている。従って、固定連結部品７は、縦桟６の見付け方向、見込み方向および上下方向（長手方向）のいずれの方向に関しても移動不能に縦桟６に取り付けられることとなる。
【００１７】
以上のように、縦桟６における外部突出片部６３の第１切欠き部６５に固定連結部品７の前方突出部７５１を位置決めさせた状態で、固定連結部品７を縦桟６の開口部６２内部側に向かって押し込むだけで、固定連結部品７が縦桟６の所定位置に取り付けられるので、ワンアクションで固定連結部品７を縦桟６に嵌合させることができ、取付作業の作業性を向上させることができる。さらに、固定連結部品７を嵌合させた状態で、縦桟６における外部突出片部６３の第１切欠き部６５が連結部品本体部７１で覆われ、外側から見えないようにできるので、伸縮門扉１の外観意匠性を向上させることができる。
【００１８】
なお、本発明は、前記実施形態に限定されるものではなく、本発明の目的が達成できる以下の構成を備えていればよい。
（１）本発明の伸縮門扉は、見付け方向に伸縮自在な伸縮格子体と、この伸縮格子体の見込み方向両側に対向して当該伸縮格子体に連結される少なくとも一対の縦桟とを備えた伸縮門扉であって、前記一対の縦桟は、互いに対向する方向に開口する開口部と、この開口部に臨んで当該縦桟の見付け方向内側に突出する左右一対の突出片部とを有して形成され、これらの突出片部に嵌合される連結部品を介して前記伸縮格子体と連結され、前記縦桟の突出片部には、前記連結部品を嵌合させない状態で当該縦桟の長手方向に沿った所定位置に当該連結部品を位置決めする位置決め部と、前記連結部品を嵌合させた状態で当該縦桟の長手方向に沿った当該連結部品の移動を規制する規制部とが設けられ、前記連結部品は、前記一対の突出片部に嵌合する一対の嵌合部と、これら一対の嵌合部よりも前記縦桟の開口部の内部側に設けられる一対の傾斜面部と、前記縦桟の位置決め部に挿通される被位置決め部と、前記縦桟の規制部に規制される被規制部とを有して構成され、前記被位置決め部を前記位置決め部に位置決めさせた状態で前記連結部品を前記縦桟の開口部の内部に向かって押し込むことで、前記傾斜面部で当該開口部を押し拡げつつ当該連結部品が当該縦桟に嵌入されて前記嵌合部が前記突出片部に嵌合され、この嵌合状態において、前記被規制部が前記規制部に規制されることで前記連結部品が前記縦桟に移動不能に取り付けられていればよい。
【００１９】
以上の伸縮門扉によれば、縦桟の位置決め部に被位置決め部を位置決めさせた状態で連結部品を縦桟の開口部の内部に向かって押し込むだけで、縦桟の規制部に連結部品の被規制部が規制されるので、一度の押し込み作業で連結部品を縦桟に取り付けることができる。従って、連結部品の取付作業における手間を低減し作業時間を短縮することができ、伸縮門扉の組立作業性を向上させることができる。さらに、連結部品を縦桟の開口部の内部に向かって押し込むだけでよいため、縦桟の位置決め部から長手方向に外れた位置に余計な切欠き等を設ける必要がなく、このような切欠きが組立後に露出することもないため、伸縮門扉の外観意匠性を向上させることができる。また、従来のように、固定子を縦桟の長手方向に沿って移動させる必要がないため、縦桟による連結部品（固定子）の削れの発生を抑制することができる。
【００２０】
（２）本発明の伸縮門扉では、前記縦桟における左右一対の突出片部は、それぞれ当該縦桟における前記開口部の内部側および外部側に設けられる内部突出片部および外部突出片部で構成され、これらの内部突出片部および外部突出片部にそれぞれ前記規制部を構成する内側規制部および外側規制部が設けられ、前記連結部品には、前記内側規制部および外側規制部に対応して前記被規制部を構成する内側被規制部および外側被規制部が設けられていることが好ましい。
このような構成によれば、見込み方向の内外両側で連結部品の移動を規制することができ、連結部品の傾きも防止することができる。また、外部突出片部よりも縦桟における開口部の内部側に位置して外部突出片部に比べて弾性変形しにくい内部突出片部も規制部としているため、外部突出片部のみで規制部を構成する場合と比べて規制力を向上することが可能となる。
【００２１】
（３）本発明の伸縮門扉では、前記縦桟において、前記外側規制部は、前記一対の外部突出片部の互いに対向する位置に一対で設けられ、これら一対の外側規制部に対し、当該縦桟の長手方向の一方および他方の対称位置に一対ずつの前記内側規制部が前記内部突出片部に設けられていることが好ましい。
このような構成によれば、内側規制部が上下に一対ずつ、つまり少なくとも４箇所に設けられているので、規制強度を高めてより一層確実に連結部品の移動を規制することができる。
【００２２】
（４）本発明の伸縮門扉では、前記縦桟において、前記位置決め部は、前記一対の外部突出片部の互いに対向する位置に一対で設けられる切欠きで構成され、これら一対の切欠きによって前記外側規制部が構成されていることが好ましい。
このような構成によれば、外部突出片部に形成した切欠きで位置決め部を構成することで、縦桟の長手方向の所定位置に連結部品をセットする際に、その位置が判別しやすくなって、取付作業の作業効率を向上させることができる。
また、前記（３）の構成とすれば、位置決め部（外部規制部）に対して縦桟の長手方向の一方および他方の対称位置に一対ずつの前記内側規制部が設けられているため、連結部品の上下方向（縦桟の長手方向）の向きを気にすることなく取り付けることができる。
これに対して、位置決め部に対して縦桟の長手方向の一方または他方のみに内部規制部が設けられている場合、または、一方および他方の両方だが非対称となる位置に内側規制部が設けられている場合においては、連結部品の上下方向の向きに方向性が生じてしまう。      
【００２３】
（５）本発明の伸縮門扉では、前記連結部品における一対の傾斜面部は、前記縦桟における前記一対の外部突出片部に当接して当該縦桟の開口部を押し拡げ可能に構成されていることが好ましい。
このような構成によれば、外部突出片部は内部突出片部よりも縦桟における開口部の外部側に位置していることから、内部突出片部に比べて外部突出片部の方が弾性変形しやすいため、押し拡げる際の力が小さくでき、連結部品を容易に押し込むことができる。
【００２４】
（６）本発明の伸縮門扉では、前記連結部品における一対の嵌合部は、前記縦桟における前記一対の外部突出片部に嵌合可能に構成されていることが好ましい。
このような構成によれば、連結部品の嵌合部を外部突出片部に嵌合させることで、連結部品を縦桟から取り外す必要が生じた場合でも、外部突出片部を工具等で押し拡げつつ嵌合部を外部突出片部から外せばよいため、比較的容易に連結部品を取り外すことができ、メンテナンス性や部品交換性を向上させることができる。
【００２５】
また、前記実施形態に限らず、以下に示すような変形等も本発明に含まれる。
例えば、前記実施形態においては、カーポート等の前面に用いる伸縮門扉１について説明したが、本発明の伸縮門扉１としては、カーポート等に限らず、任意の場所に設置される門扉に用いるものであってもよい。
また、前記実施形態では、縦桟６に外部突出片部６３と内部突出片部６４とを形成し、外部突出片部６３に外側規制部としての第１切欠き部６５を形成し、内部突出片部６４に内側規制部としての第２切欠き部６６を形成したが、本発明の突出片部としては、内外のいずれか一方であってもよく、その場合には、規制部としても内外いずれかの突出片部に設けられていればよい。
さらに、前記実施形態では、外部突出片部６３の第１切欠き部６５を位置決め部としても機能するように構成したが、規制部と位置決め部とが別であってもよいし、位置決め部が内部突出片部６４に設けられていてもよい。また、連結部品の傾斜面部としても、外部突出片部６３に摺接するものに限らず、内部突出片部６４に摺接するように構成されていてもよい。
【００２６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２７】
【図１】本発明の実施形態に係る伸縮門扉を示す正面図である。
【図２】前記伸縮門扉の要部を拡大して示す分解斜視図である。
【図３】前記伸縮門扉の縦桟と連結部品を示す分解斜視図である。
【図４】前記縦桟と連結部品の取付手順を示す横断面図である。
【符号の説明】
【００２８】
５…伸縮格子体、６…縦桟、７…固定連結部品（連結部品）、６２…開口部、６３…外部突出片部、６４…内部突出片部、６５…第１切欠き部（位置決め部、外側規制部）、６６…第２切欠き部（内側規制部）、７３１…傾斜面部、７３２…延出面部（内側被規制部）、７４１…嵌合部、７５１…前方突出部（被位置決め部）、７５２…後方突出部（外側被規制部）。
【図１】
2010126887.tif 000003
【図２】
2010126887.tif 000004
【図３】
2010126887.tif 000005
【図４】
2010126887.tif 000006